(57)【要約】【課題】カートリッジ装置内に往復水路を設ける場合に良好な改質能力を得られる技術を提供する。【解決手段】水回り部品１２に着脱可能に取り付けられる長尺状のカートリッジ装置１４であって、本カートリッジ装置１４の長手方向Ｐａの一方側に水を送るための往路３６と、往路３６から受けた水を長手方向Ｐａの他方側に送るための復路３８とを有する往復水路４０を備え、往復水路４０には、原水を改質可能な粉状の改質材５２を収容する収容室５４と、収容室５４より上流側の水路と収容室５４を隔てる一次側透水膜５６とを有する改質水路４２が設けられ、本カートリッジ装置１４が水回り部品１２に取付状態にあるとき、一次側透水膜５６から収容室５４内に上向きに水が流入するように構成される。【選択図】図４
2019089005.tif 000002
【特許請求の範囲】
【請求項１】
水回り部品に着脱可能に取り付けられる長尺状のカートリッジ装置であって、
本カートリッジ装置の長手方向の一方側に水を送るための往路と、前記往路から受けた水を前記長手方向の他方側に送るための復路とを有する往復水路を備え、
前記往復水路には、原水を改質可能な粉状の改質材を収容する収容室と、前記収容室より上流側の水路と前記収容室を隔てる一次側透水膜とを有する改質水路が設けられ、
本カートリッジ装置が前記水回り部品に取付状態にあるとき、前記一次側透水膜から前記収容室内に上向きに水が流入するように構成されるカートリッジ装置。
【請求項２】
前記往路及び前記復路のうちの一方は中心部に設けられ、
前記往路及び前記復路のうちの他方は前記中心部の外周側の外周部に設けられる請求項１に記載のカートリッジ装置。
【請求項３】
前記往復水路は、前記改質水路を迂回する迂回水路を有する請求項１または２に記載のカートリッジ装置。
【請求項４】
前記往路は中心部に設けられ、
前記復路は前記中心部の外周側の外周部に設けられ、
前記改質水路は、前記外周部の内周側部分に設けられ、
前記迂回水路は、前記外周部の外周側部分に設けられる請求項３に記載のカートリッジ装置。
【請求項５】
前記往復水路の一部に設けられる特定箇所に対して上流側に連なる水路から水が流入する方向を流入方向としたとき、
前記改質水路は、前記特定箇所に対して前記流入方向とは異なる方向に連なるように設けられ、
前記特定箇所において前記流入方向に流入する水が前記改質水路に向けて流れるように誘導可能な誘導体を備える請求項３または４に記載のカートリッジ装置。
【請求項６】
前記特定箇所は、前記往復水路の折り返し箇所において、前記特定箇所を中心として外周側に設けられる水路から水が流入する中心空間であり、
前記迂回水路は、前記特定箇所に対して上流側の水路から分岐して設けられ、
前記改質水路は、前記中心空間から前記長手方向の他方側に連なる水路上に設けられる請求項５に記載のカートリッジ装置。
【請求項７】
前記特定箇所は、前記往復水路において前記迂回水路が分岐する分岐箇所であり、
前記迂回水路は、前記分岐箇所に対して前記流入方向に連なるように設けられる請求項５に記載のカートリッジ装置。
【請求項８】
前記往復水路は、前記往復水路の折り返し箇所に設けられ、前記往路から送られる水が通り抜ける一次側通水路と、前記折り返し箇所に設けられ、前記一次側通水路から流出した水が通り抜ける二次側通水路と、を有し、
前記改質水路は、前記二次側通水路に対して下流側に連なる空間から前記長手方向の他方側に連なる水路上に設けられ、
前記迂回水路は、前記一次側通水路と前記二次側通水路の間の空間から前記長手方向の他方側に連なる水路上に設けられ、
前記二次側通水路の前記長手方向の寸法は、前記一次側通水路の中心線に沿った通水方向に見て、前記一次側通水路の全体が前記二次側通水路と重なる大きさとなるように設定される請求項３から７のいずれかに記載のカートリッジ装置。
【請求項９】
前記往復水路は、前記往復水路の折り返し箇所に設けられ、前記往路から送られる水が通る一次側通水路と、前記折り返し箇所に設けられ、前記一次側通水路から流出した水が通る二次側通水路と、を備え、
前記改質水路は、前記一次側通水路と前記二次側通水路の間の空間から前記長手方向の他方側に連なる水路上に設けられ、
前記迂回水路は、前記二次側通水路に対して下流側に連なる空間から前記長手方向の他方側に連なる水路上に設けられ、
前記二次側通水路の前記長手方向の寸法は、前記一次側通水路の中心線に沿った通水方向に見て、前記一次側通水路の一部が前記二次側通水路と重なる大きさとなるように設定される請求項３から７のいずれかに記載のカートリッジ装置。
【請求項１０】
前記往復水路及び前記迂回水路が内部に設けられるハウジングと、
前記往路と前記復路を隔てる筒状の第１隔壁部材と、
前記迂回水路と前記改質水路を隔てる筒状の第２隔壁部材と、を備え、
前記第１隔壁部材及び前記第２隔壁部材は、前記改質水路の構成要素と一体化されて内部ユニットを構成し、
前記内部ユニットは、前記ハウジングに着脱可能に固定される請求項３から９のいずれかに記載のカートリッジ装置。
【請求項１１】
請求項１から１０のいずれかに記載のカートリッジ装置と、
前記カートリッジ装置が着脱可能に取り付けられる前記水回り部品と、を備える水回りユニット。
【発明の詳細な説明】
【技術分野】
【０００１】
本発明は、原水を改質するためのカートリッジ装置に関する。
【背景技術】
【０００２】
原水の改質を目的として給水路にカートリッジ装置を組み込む場合がある。たとえば、特許文献１には、カートリッジ装置内に粉状の改質材を収容した浄水器が開示されている。
【先行技術文献】
【特許文献】
【０００３】
【特許文献１】特開２００２−１９２１７２号公報
【発明の概要】
【発明が解決しようとする課題】
【０００４】
ところで、カートリッジ装置内には往路と復路を有する往復水路を設ける場合がある。このようなカートリッジ装置に粉状の改質材を用いる場合、詳細は後述するが、改質材を収容する改質水路の往復水路内での位置によって、改質材による改質能力に悪影響が生じる。本発明者は、このように新たに得た知見を背景として、その対策を講じる必要があるとの認識を得た。
【０００５】
本発明のある態様は、このような課題に鑑みてなされ、その目的の１つは、カートリッジ装置内に往復水路を設ける場合に良好な改質能力を得られる技術を提供することにある。
【課題を解決するための手段】
【０００６】
前述の課題を解決するための本発明の第１態様はカートリッジ装置である。第１態様は、水回り部品に着脱可能に取り付けられる長尺状のカートリッジ装置であって、本カートリッジ装置の長手方向の一方側に水を送るための往路と、前記往路から受けた水を前記長手方向の他方側に送るための復路とを有する往復水路を備え、前記往復水路には、原水を改質可能な粉状の改質材を収容する収容室と、前記収容室より上流側の水路と前記収容室を隔てる一次側透水膜とを有する改質水路が設けられ、本カートリッジ装置が前記水回り部品に装着状態にあるとき、前記一次側透水膜から前記収容室内に上向きに水が流入するように構成される。
【０００７】
第１態様によれば、一次側透水膜から上向きに流入する水流の力を用いて、収容室内で改質材の粒子を分散させ易くなり、改質材の粒子同士が密着したまま定位置に保持される事態を防止できる。この結果、改質材の粒子同士が密着したままの場合より、粒子に対する原水の接触面積を大きくすることで、改質材による原水の改質能力の向上を図れる。
【図面の簡単な説明】
【０００８】
【図１】図１（ａ）は、参考例のカートリッジ装置を模式的に示す図であり、図１（ｂ）は、実施形態のカートリッジ装置を模式的に示す図である。
【図２】第１実施形態の水回りユニットの正面図である。
【図３】第１実施形態の水回りユニットの側面図である。
【図４】第１実施形態のカートリッジ装置と周辺構造を拡大した断面図である。
【図５】図４のカートリッジ装置の拡大図である。
【図６】図４のＡ−Ａ線断面図である。
【図７】第１実施形態の誘導体の斜視図である。
【図８】第２実施形態のカートリッジ装置と周辺構造を図４と同じ視点から見た断面図である。
【図９】図８のＢ−Ｂ線断面図である。
【図１０】図８の拡大図である。
【図１１】第２実施形態の誘導体の斜視図である。
【図１２】第３実施形態のカートリッジ装置を図４と同じ視点から見た断面図である。
【発明を実施するための形態】
【０００９】
まず、本実施形態のカートリッジ装置を想到するに至った背景から説明する。図１（ａ）は、参考例のカートリッジ装置１１４の内部構造を模式的に示す正面図である。本例のカートリッジ装置１１４には、下向きに水が流れる往路３６と上向きに水が流れる復路３８とを有する往復水路４０が設けられる。
【００１０】
往復水路４０には、粉状の改質材５２を収容する収容室５４と、収容室５４より上流側の水路と収容室５４を隔てる一次側透水膜５６と、収容室５４より下流側の水路と収容室５４を隔てる二次側透水膜５８とを有する改質水路４２が設けられる。
【００１１】
ここで、往復水路４０に改質水路４２を設ける場合、改質水路４２の位置によって、次の問題が生じるとの新たな知見を本発明者は得た。図１（ａ）に示すように、一次側透水膜５６から収容室５４に下向きに水が流入するレイアウトにした場合を考える。この場合、収容室５４内の改質材５２の粒子同士が密着したまま定位置に保持されることがあるという知見を得た。この傾向は、改質材５２の下部において特にみられる。これは、主に、一次側透水膜５６から下向きに流入する水流の力や重力を改質材５２が受けることに起因すると考えられる。
【００１２】
このように改質材５２の粒子同士が密着したまま定位置に保持されてしまうと、その粒子同士の密着箇所に原水が接触できなくなる。この結果、粒子に対する原水の接触面積が小さくなり、改質材５２による原水の改質効率の低下を招く。また、この他にも、改質材５２の粒子間の間隔が非常に狭くなり、粒子間を通して水が通り難くなることに伴い、収容室５４を通ろうとする水の圧損の増大を招く。
【００１３】
図１（ｂ）は、この対策を講じた実施形態のカートリッジ装置１４の内部構造を模式的に示す図である。本実施形態のカートリッジ装置１４は、一次側透水膜５６から収容室５４に上向きに水が流入するレイアウトにしている。これにより、一次側透水膜５６から上向きに流入する水流の力を用いて、収容室５４内で改質材５２の粒子を分散させ易くなり、改質材５２の粒子同士が密着したまま定位置に保持される事態を防止できる。この結果、改質材５２の粒子同士が密着したままの場合より、粒子に対する原水の接触面積を大きくでき、改質材５２による原水の改質能力の向上を図れる。また、この他にも、改質材５２の粒子間の間隔が広くなるため、粒子間を通して水が通り易くなることに伴い、収容室５４を通ろうとする水の圧損の増大を防止できる。以下、このような背景のもとでなされたカートリッジ装置を説明する。
【００１４】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１５】
（第１実施形態）
図２は、第１実施形態のカートリッジ装置１４が用いられる水回りユニット１０の正面図である。図３は、水回りユニット１０の側面図である。水回りユニット１０は、水回り部品１２と、水回り部品１２に着脱可能に取り付けられるカートリッジ装置１４とを備える。
【００１６】
水回り部品１２は、ベース１６に支持される。本実施形態のベース１６は浴室の壁部である。本実施形態の水回り部品１２は、シャワーフック１８や入浴者の荷重を受けるとともにシャワーフック１８をスライド可能に支持するスライドバーである。
【００１７】
図４は、カートリッジ装置１４と周辺構造を拡大した断面図である。本図ではカートリッジ装置１４内での水の流れ方向を矢印で示す。水回り部品１２は、カートリッジ装置１４が着脱可能に取り付けられる被取付部１２ｃ、１２ｄ、１２ｅを有する。
【００１８】
水回り部品１２には、給水源から原水が供給される給水路の一部が形成される。本実施形態の給水路は、給水源側にある水栓装置２０から吐水装置２２に至るように設けられる（図２参照）。このような給水路の一部として、水回り部品１２には、カートリッジ装置１４に原水を供給するための上流側水路２４と、カートリッジ装置１４から供給される改質水を受けるための下流側水路２６とが形成される。
【００１９】
カートリッジ装置１４は、カートリッジ本体２８と、ケーシング３０と、を備える。本実施形態のカートリッジ装置１４は、水回り部品１２から突出するように設けられ、その突出方向に延びる長尺状をなす。カートリッジ本体２８やケーシング３０も同様である。以下、カートリッジ装置１４の長手方向を単に「長手方向Ｐａ」という。
【００２０】
ケーシング３０は、図４に示すように、カートリッジ本体２８を収容しており、カートリッジ本体２８を保護する。ケーシング３０は、ケーシング３０の外部空間に露出するカートリッジ装置１４の最外表面を形成する。本実施形態のケーシング３０は、長手方向Ｐａに延びる筒状であって、先端部が底部になるとともに基端部に開口部３０ａが設けられる有底筒状をなす。
【００２１】
ケーシング３０は、水回り部品１２の第３被取付部１２ｅに着脱可能に取り付けられる第３取付部３０ｂを有する。第３取付部３０ｂは、ケーシング３０の基端部に設けられる。ケーシング３０の第３取付部３０ｂと水回り部品１２の第３被取付部１２ｅの一方には嵌合凸部３２が設けられ、他方には嵌合凸部３２が嵌合される嵌合凹部３４が設けられる。ケーシング３０の第３取付部３０ｂは、嵌合凸部３２と嵌合凹部３４が構成する嵌合構造により、水回り部品１２の第３被取付部１２ｅへの取付状態が保持される。
【００２２】
本実施形態のケーシング３０の第３取付部３０ｂは、長手方向Ｐａに沿った第１着脱方向での動きを伴い、水回り部品１２の第３被取付部１２ｅに対して着脱可能である。本実施形態のケーシング３０の第３取付部３０ｂは、第１着脱方向の方向軸周りの両側に回転させることで、水回り部品１２の第３被取付部１２ｅから第１着脱方向に離脱可能な離脱可能状態と、水回り部品１２から離脱不能な離脱不能状態とが切り替えられる。これらは前述の嵌合構造により実現される。
【００２３】
カートリッジ装置１４は、前述の給水路の途中に設けられる。カートリッジ装置１４は、水回り部品１２の上流側水路２４から供給された原水を改質したうえで、水回り部品１２の下流側水路２６に供給する。
【００２４】
カートリッジ装置１４は、往路３６と復路３８を有する往復水路４０を備える。本実施形態の往復水路４０の全体はカートリッジ装置１４のカートリッジ本体２８に設けられる。往路３６は、水回り部品１２の上流側水路２４から受けた水を長手方向Ｐａの一方側（以下、往路方向Ｐａ１という）に送るためのものである。復路３８は、往路３６から送られる水を受けて、その水を長手方向Ｐａの他方側（以下、復路方向Ｐａ２という）に送り、その水を水回り部品１２の下流側水路２６に供給するためのものである。往復水路４０は、往路３６を経由させてから復路３８を経由させることでカートリッジ装置１４内を長手方向Ｐａに往復するように水を流すことができる。
【００２５】
カートリッジ装置１４の復路方向Ｐａ２側の端部には開口部３０ａが設けられる。本実施形態の開口部３０ａはケーシング３０の端部に設けられる。水回り部品１２の上流側水路２４及び往路３６を組み合わせた往路側水路と、水回り部品１２の下流側水路２６及び復路３８を組み合わせた復路側水路とは、この開口部３０ａのみを通してカートリッジ装置１４内を経由するように設けられる。
【００２６】
往復水路４０は、原水を改質するための改質水路４２と、改質水路４２を迂回する迂回水路４４とを有する。迂回水路４４は、改質水路４２より上流側の水路から、改質水路４２より下流側の水路に原水を送るためのものである。迂回水路４４は、改質水路４２より上流側の水路から分岐しており、改質水路４２より下流側の水路に合流している。本実施形態の改質水路４２や迂回水路４４は往復水路４０の復路３８に設けられる。
【００２７】
カートリッジ本体２８は、往復水路４０の全体が内部に設けられるハウジング４６と、ハウジング４６の内側に設けられる第１隔壁部材４８及び第２隔壁部材５０とを備える。
【００２８】
本実施形態のハウジング４６は、長手方向Ｐａに延びる筒状であって、復路方向Ｐａ２に向かって開く有底筒状をなす。
【００２９】
第１隔壁部材４８は、ハウジング４６の内部空間を往路３６と復路３８に区画しており、往路３６と復路３８を隔てている。本実施形態の第１隔壁部材４８は、全体として長手方向Ｐａに延びる筒状をなし、その内側に復路３８が設けられる。本実施形態の第１隔壁部材４８は、復路方向Ｐａ２側に設けられる小径部４８ａと、小径部４８ａより往路方向Ｐａ１側に設けられる大径部４８ｂと、小径部４８ａと大径部４８ｂの間に設けられる段差部４８ｃを有する。
【００３０】
第２隔壁部材５０は、図４に示すように、ハウジング４６の内側の復路３８を迂回水路４４と改質水路４２に区画しており、迂回水路４４と改質水路４２を隔てている。本実施形態の第２隔壁部材５０は、全体として長手方向Ｐａに延びる筒状をなし、第１隔壁部材４８の内周側に配置されるとともに、その内側に改質水路４２が設けられる。
【００３１】
第２隔壁部材５０は、復路方向Ｐａ２側の先端面から突き出る複数の間隔保持部５０ａを有する。間隔保持部５０ａは、第１隔壁部材４８の段差部４８ｃに当たることで、第１隔壁部材４８との間の間隔を保持している。
【００３２】
図５は、図４のカートリッジ装置１４の一部の拡大図である。図６は、図４のＡ−Ａ線断面図である。第１隔壁部材４８は、往路方向Ｐａ１側の奥端面４８ｄから突き出る複数の第１脚部４８ｅを有する。複数の第１脚部４８ｅは、ハウジング４６の往路方向Ｐａ１側の奥壁部４６ａに設けられる第１嵌込孔４６ｂに圧入により嵌め込まれている。これにより、複数の第１脚部４８ｅは、第１隔壁部材４８をハウジング４６に着脱可能に固定する役割を果たす。
【００３３】
第２隔壁部材５０は、往路方向Ｐａ１側の奥端面５０ｂから突き出る複数の第２脚部５０ｃを有する。本実施形態の複数の第２脚部５０ｃは、ハウジング４６の奥壁部４６ａに設けられる第２嵌込孔４６ｃ内に圧入により嵌め込まれている。これにより、複数の第２脚部５０ｃは、第２隔壁部材５０をハウジング４６に着脱可能に固定する役割を果たす。
【００３４】
カートリッジ本体２８は、図４に示すように、水回り部品１２の被取付部１２ｃ、１２ｄに着脱可能に取り付けられる取付部２８ａ、２８ｂを有する。本実施形態の取付部２８ａ、２８ｂは、ハウジング４６や第１隔壁部材４８の復路方向側の基端部に設けられる。カートリッジ本体２８の取付部２８ａ、２８ｂには、ハウジング４６に設けられる第１取付部２８ａと、第１隔壁部材４８の小径部４８ａに設けられる第２取付部２８ｂとが含まれる。水回り部品１２の被取付部１２ｃ、１２ｄには、第１取付部２８ａが取り付けられる第１被取付部１２ｃと、第２取付部２８ｂが取り付けられる第２被取付部１２ｄとが含まれる。カートリッジ本体２８は水回り部品１２に取付状態にあるとき、第１被取付部１２ｃ及び第１取付部２８ａの一方が他方の内側に差し込まれ、かつ、第１被取付部１２ｃ及び第２取付部２８ｂの一方が他方の内側に差し込まれる。
【００３５】
本実施形態のカートリッジ本体２８の取付部２８ａ、２８ｂは、長手方向Ｐａに沿った第２着脱方向での動きを伴い、水回り部品１２の被取付部１２ｃ、１２ｄに対して着脱可能である。本実施形態のカートリッジ本体２８は、水回り部品１２に接続されるケーシング３０に支持されることで、水回り部品１２に取り付けられる取付状態が保持される。本実施形態のカートリッジ本体２８は、水回り部品１２からケーシング３０を離脱させたうえで、第２着脱方向に強く動かすことで、水回り部品１２に対して着脱可能である。
【００３６】
本実施形態の復路３８は長手方向Ｐａに沿って延びる中心部２８ｃに設けられ、往路３６は中心部２８ｃの外周側で中心部２８ｃを取り囲む外周部２８ｄに設けられる。本実施形態の改質水路４２は中心部２８ｃの内周側部分に設けられ、迂回水路４４は中心部２８ｃの外周側部分に設けられる。本実施形態の往路３６はハウジング４６と第１隔壁部材４８の間に形成され、全体として環状をなす。本実施形態の改質水路４２は最内周側の第２隔壁部材５０の内側に形成されて柱状をなす。本実施形態の迂回水路４４は第１隔壁部材４８の大径部４８ｂと第２隔壁部材５０の間に形成され、全体として環状をなす。以下、カートリッジ装置１４の中心部２８ｃを通る長手方向Ｐａに沿った方向軸線Ｌ０を中心とする円の半径方向、円周方向を「径方向」、「周方向」という。この方向軸線Ｌ０は筒状の第１隔壁部材４８や第２隔壁部材５０の中心軸線でもある。
【００３７】
改質水路４２は、粉状の改質材５２を収容する収容室５４と、収容室５４より上流側の水路と収容室５４を隔てる一次側透水膜５６と、収容室５４より下流側の水路と収容室５４を隔てる二次側透水膜５８とを有する。
【００３８】
改質材５２は原水を改質可能な粉状体であり、その原水を改質することで改質水を生成する。この改質材５２を構成する粒子の平均粒径は特に限定されないが、たとえば、０．５ｍｍ以下である。本明細書での「改質」とは、物理変化や化学変化を経て、特定の成分を原水から除去又は原水に付与することで、原水の組成や性質を変化させることをいう。物理変化を経る場合とは、たとえば、吸着による特定成分の除去、溶解による特定成分の付与である。化学変化を経る場合とは、たとえば、化学反応による特定成分の除去や付与である。本実施形態の改質材５２は亜硫酸カルシウムであり、化学反応を経た残留塩素の除去により原水を浄化可能であり、その原水を浄化することで改質水として浄水を生成する。
【００３９】
一次側透水膜５６や二次側透水膜５８は、第２隔壁部材５０に接着等により取り付けられる。透水膜５６、５８は、原水や改質水を透水可能な性質を持つとともに、改質材５２の通過を遮断する性質を持つ。透水膜５６、５８は、たとえば、不織布、多孔質フィルム、ネット等を用いて構成される。
【００４０】
ここで、本実施形態のカートリッジ装置１４は、カートリッジ装置１４が水回り部品１２に取付状態にあるとき、一次側透水膜５６から収容室５４内に上向きに水が流入するように構成される。これにより、前述の通り、一次側透水膜５６から上向きに流入する水流の力を用いて、収容室５４内で改質材５２の粒子を分散させ易くなる。改質材５２の充填率は、改質材５２の粒子の分散を許容できるように過大とならない大きさに設定され、たとえば、６０〜９０％である。ここでの充填率とは、収容室５４の体積に対して改質材５２が占める割合をいう。
【００４１】
一次側透水膜５６から収容室５４内への水の流入方向Ｐｂは、一次側透水膜５６が横断している水路の中心線Ｌａに沿った方向となる。本実施形態での水の流入方向Ｐｂは鉛直線に沿うように設定される。この水の流入方向Ｐｂは、その方向軸線の鉛直線に対してなす角度が９０°未満であればよく、その角度が４５°未満であれば好ましい。
【００４２】
改質材５２は、一次側透水膜５６から流入する水流の力を用いて収容室５４内で分散できるように、一次側透水膜５６上に配置される。改質材５２は一次側透水膜５６に載っているとも捉えられる。
【００４３】
本実施形態の収容室５４は、一次側透水膜５６から二次側透水膜５８にかけての全範囲で前述の流入方向Ｐｂに直線状に広がるように設けられる。この他にも、収容室５４は、一次側透水膜５６から二次側透水膜５８側に向かう一部の範囲で前述の流入方向Ｐｂに直線状に広がるように設けられていてもよい。
【００４４】
以上のカートリッジ装置１４での水の流れ方を説明する。カートリッジ装置１４には水回り部品１２の上流側水路２４から原水が供給される。カートリッジ装置１４に供給される原水はカートリッジ装置１４の往復水路４０を通して水回り部品１２の下流側水路２６に供給される。このとき、原水は、カートリッジ装置１４の改質水路４２を通ることで改質水に改質され、水回り部品１２の下流側水路２６には改質水が供給される。
【００４５】
本実施形態の往復水路４０は迂回水路４４を有する。よって、往復水路４０において改質水路４２より上流側の水路から原水の一部が迂回水路４４に送られ（方向Ｐｃ１参照）、その迂回水路４４から改質水路４２より下流側の水路に原水の一部が送られる（方向Ｐｃ２参照）。これにより、迂回水路４４を通る原水と改質水路４２を通る改質水とが合流してから、水回り部品１２の下流側水路２６に改質水が供給される。
【００４６】
以上のカートリッジ装置１４の効果を説明する。カートリッジ装置１４は、一次側透水膜５６から収容室５４内に上向きに水が流れるように構成される。よって、前述の通り、改質材５２による原水の改質能力の向上を図れる。
【００４７】
往復水路４０は、改質水路４２を迂回する迂回水路４４を備える。かりに、往復水路４０に迂回水路４４がない場合、往復水路４０を流れる水の全てが改質水路４２を経由しなければならない。この結果、改質水路４２の経由に伴う水の圧力損失の増大により、カートリッジ装置１４から水回り部品１２に供給される水の流量の減少を招く。この点、往復水路４０が迂回水路４４を有していれば、圧力損失の小さい迂回水路４４を経由したうえで、カートリッジ装置１４から水回り部品１２に水を供給できる。この結果、改質水路４２のみを経由する場合と比べて圧力損失の増大を抑制でき、カートリッジ装置１４から水回り部品１２に供給される水の流量を増大できる。
【００４８】
また、かりに、改質水路４２への原水流入量が過度に大きい場合、改質水路４２内の改質材５２の溶解量が過多となり、改質材５２が無駄になり得る。この点、往復水路４０に迂回水路４４がある場合、迂回水路４４の水路断面積の大きさを調整することで、改質水路４２への原水の流入量を調節できる。よって、改質水路４２への原水流入量の調整を通じて、改質材５２の溶解量を調整できるようになり、改質材５２が無駄になる事態を避け易くなる。
【００４９】
また、迂回水路４４の寸法を調整することで、改質水路４２より下流側の水路と迂回水路４４との合流箇所へ迂回水路４４から流出する原水の流速を、その合流箇所へ改質水路４２側から流出する改質水の流速より大きくできる。これにより、迂回水路４４から流出する原水の流速と、改質水路４２側から流出する改質水の流速との差によって、その合流箇所の近傍で往復水路４０の上流側に引き寄せるような負圧を生じさせられる。この結果、改質水路４２内を流れる原水の流量を増大でき、原水の改質能力の向上を図れる。
【００５０】
（Ａ）復路３８は中心部２８ｃに設けられ、往路３６は外周部２８ｄに設けられる。よって、図１２を用いて後述するように、往路３６と復路３８が並列に設けられる場合と比べ、長手方向Ｐａに直交するカートリッジ装置１４の断面形状の小型化を図れる。
【００５１】
カートリッジ装置１４の他の工夫点を説明する。図５を参照する。往復水路４０は、往復水路４０の折り返し箇所に設けられ、往路３６から送られる水が通り抜ける一次側通水路６０を有する。また、往復水路４０は、往復水路４０の折り返し箇所に設けられ、一次側通水路６０から流出した水が通り抜ける二次側通水路６２を有する。本実施形態の一次側通水路６０は、第１隔壁部材４８の奥端面４８ｄとハウジング４６の奥壁部４６ａの間において周方向に広がるように設けられる。本実施形態の二次側通水路６２は、第２隔壁部材５０の奥端面５０ｂとハウジング４６の奥壁部４６ａの間において周方向に広がるように設けられる。本実施形態の一次側通水路６０は外周側に設けられ、二次側通水路６２は一次側通水路６０より径方向内側の内周側に設けられる。
【００５２】
改質水路４２は、往復水路４０の折り返し箇所から復路方向Ｐａ２に延びるように復路３８の一部として設けられる。改質水路４２は、二次側通水路６２に対して下流側に連なる中心空間６４から復路方向Ｐａ２に連なるように設けられている。迂回水路４４は、往復水路４０の折り返し箇所から復路方向Ｐａ２に延びるように復路３８の一部として設けられる。迂回水路４４は、一次側通水路６０と二次側通水路６２の間の外周側空間６６から復路方向Ｐａ２に連なるように設けられている。
【００５３】
前述した往復水路４０の中心空間６４は、往復水路４０の途中に特定箇所７０として設けられる。この特定箇所７０としての中心空間６４には、往復水路４０の折り返し箇所において、その中心空間６４を中心として外周側に設けられる水路（本例では二次側通水路６２）から水が流入する。
【００５４】
この中心空間６４に対して上流側に連なる水路である二次側通水路６２から水が流入する方向を第１流入方向Ｐｄとする。この第１流入方向Ｐｄは、長手方向Ｐａに沿った切断面において、二次側通水路６２の中心線Ｌｂに沿った方向となる。このとき、改質水路４２は、中心空間６４に対して第１流入方向Ｐｄとは異なる方向（復路方向Ｐａ２）に連なるように設けられるともいえる。本実施形態の迂回水路４４は、この中心空間６４に対して上流側の水路となる外周側空間６６から分岐して設けられる。
【００５５】
カートリッジ装置１４は、往復水路４０の特定箇所７０において、前述の第１流入方向Ｐｄに流入する水を改質水路４２に向けて流れるように方向Ｐｅに誘導可能な誘導体７２を備える。誘導体７２は、特定箇所７０に対して上流側の水路である二次側通水路６２から流入する水を改質水路４２に向けて流れるように誘導可能であるともいえる。誘導体７２は、特定箇所７０において往復水路４０を形成する水路形成面となる奥壁部４６ａの内壁面から改質水路４２に向けて突き出るように設けられる。
【００５６】
図７は、第１実施形態の誘導体７２の斜視図である。図５、図７に示すように、本実施形態の誘導体７２は裁頭円錐状をなし、二次側通水路６２からの水の第１流入方向Ｐｄに向かうにつれて改質水路４２の上流端部に近づくような斜面７２ａと、第１流入方向Ｐｄに沿うような頂面７２ｃとを有する。本実施形態の斜面７２ａは径方向外側から内側に向かうにつれて復路方向Ｐａ２に向かうように設けられ、頂面７２ｃは長手方向Ｐａに直交するように設けられる。本実施形態の斜面７２ａは、長手方向Ｐａに沿った切断面において、凹形の曲線状をなすが、凸形の曲線状をなしてもよいし、直線状をなしてもよい。
【００５７】
往復水路４０の特定箇所７０に二次側通水路６２から流入する水は、誘導体７２の斜面７２ａにより方向Ｐｅに誘導されることで、第１流入方向Ｐｄから改質水路４２に向かう方向に流れ方向を変更する。これにより、往復水路４０の特定箇所７０に流入する水を誘導体７２により改質水路４２に流し易くなる。
【００５８】
特に、本実施形態の往復水路４０の折り返し箇所に設けられる中心空間６４には、その外周側の二次側通水路６２から水が流入する構造となる。この構造では、往復水路４０の中心空間６４に誘導体７２が設けられていないと、その中心空間６４に外周側の異なる位置から流入する水流の衝突により乱流が生じ、その中心空間６４から改質水路４２に水を流し難くなる現象が生じる。この点、本実施形態によれば、往復水路４０の中心空間６４に水が流入したとき、その中心空間６４での乱流の発生を抑えつつ、その水を誘導体７２により改質水路４２に流し易くなる利点がある。
【００５９】
二次側通水路６２の長手方向Ｐａの寸法Ａｂは、一次側通水路６０の通水方向Ｐｆに見て、一次側通水路６０の全体が二次側通水路６２と重なる大きさとなるように設定される。これは、一次側通水路６０の通水方向Ｐｆに見たとき、一次側通水路６０の一部が二次側通水路６２を形成する部位（本例では第２隔壁部材５０やハウジング４６の一部位）と重ならない大きさとなるように設定されるとも捉えられる。ここでの一次側通水路６０の通水方向Ｐｆとは、長手方向Ｐａに沿った切断面において、一次側通水路６０の中心線Ｌｃに沿った方向となる。これを実現するうえで、本実施形態の二次側通水路６２の長手方向Ｐａの寸法Ａｂは、一次側通水路６０の長手方向Ｐａの寸法Ａａ以上の大きさに設定される。
【００６０】
これにより、一次側通水路６０の通水方向Ｐｆに見て、一次側通水路６０の一部のみが二次側通水路６２と重なる場合と比べ、一次側通水路６０から流出した水が二次側通水路６２を通り抜け易くなる。よって、一次側通水路６０から流出した水を二次側通水路６２を通して改質水路４２に流し易くなる。この結果、改質水路４２の通水量を増やすことで、改質水の生成量を増やすことができ、カートリッジ装置１４の改質能力の向上を図れる。
【００６１】
なお、誘導体７２の長手方向Ｐａの寸法Ａｃは、一次側通水路６０の通水方向Ｐｆに見て、一次側通水路６０の全体が誘導体７２と重なる大きさとなるように設定されてもよい。これを実現するうえで、本実施形態の誘導体７２の長手方向Ｐａの寸法Ａｃは、一次側通水路６０の寸法Ａａ以上の大きさに設定されてもよい。これにより、一次側通水路６０の一部のみが誘導体７２と重なる場合と比べ、一次側通水路６０から流出した水を誘導体７２により改質水路４２に誘導し易くなる。
【００６２】
この他にも、誘導体７２の長手方向Ｐａの寸法Ａｃは、一次側通水路６０の通水方向Ｐｆに見て、一次側通水路６０の一部が誘導体７２と重なる大きさとなるように設定されてもよい。これを実現するうえで、本実施形態の誘導体７２の寸法Ａｃは、一次側通水路６０の寸法Ａａ未満の大きさに設定されてもよい。これにより、一次側通水路６０の全体が誘導体７２と重なる場合と比べ、誘導体７２が通水の抵抗となり難く、往復水路４０の中心空間６４での圧損を減らし易くなる。
【００６３】
図４に示すように、水回り部品１２の第１被取付部１２ｃとカートリッジ本体２８の第１取付部２８ａの間は第１シール部材７４によりシールされる。水回り部品１２の第２被取付部１２ｄとカートリッジ本体２８の第２取付部２８ｂの間は第２シール部材７６によりシールされる。各シール部材７４、７６は、Ｏリング等の弾性体である。
【００６４】
（第２の実施の形態）
図８は、第２実施形態のカートリッジ装置１４と周辺構造を図４と同じ視点から見た断面図である。図９は、図８のＢ−Ｂ線断面図である。本実施形態の往路３６は長手方向Ｐａに沿って延びる中心部２８ｃに設けられ、復路３８は中心部２８ｃの外周側の外周部２８ｄに設けられる。
【００６５】
本実施形態の第１隔壁部材４８は、全体として長手方向Ｐａに延びる筒状をなし、その内側に往路３６が設けられる。本実施形態の第２隔壁部材５０は、全体として長手方向Ｐａに延びる筒状をなし、第１隔壁部材４８の外周側に配置されるとともに、その内側に改質水路４２が設けられる。
【００６６】
本実施形態の復路３８は、ハウジング４６と第１隔壁部材４８の間に形成され、全体として環状をなす。本実施形態の改質水路４２は第１隔壁部材４８と第２隔壁部材５０の間に形成され、迂回水路４４はハウジング４６と第２隔壁部材５０との間に形成される。改質水路４２はカートリッジ装置１４の外周部２８ｄの内周側部分に設けられ、迂回水路４４は外周部２８ｄの外周側部分に設けられることになる。
【００６７】
本実施形態のカートリッジ装置１４も、一次側透水膜５６から収容室５４内に上向きに水が流入するように構成される。よって、前述の通り、改質材５２による原水の改質能力の向上を図れる。
【００６８】
本実施形態では往路３６は中心部２８ｃに設けられ、往路３６は中心部２８ｃの外周側の外周部２８ｄに設けられる。これによっても、前述した（Ａ）の効果を得られる。
【００６９】
本発明者が検討したところ、改質水路４２内で十分な改質能力を得つつ圧損を防止する観点から、改質水路４２は、他の水路（往路３６、迂回水路４４）よりも水路断面積を大きくする必要があるとの知見を得た。このため、図４のように、カートリッジ装置１４の中心部２８ｃの内周側部分に柱状の改質水路４２が設けられる場合、カートリッジ装置１４の外周部２８ｄに改質水路４２を設ける場合と比べ、往路３６と復路３８を隔てる第１隔壁部材４８の径が大型化してしまう。
【００７０】
これに対して、図８のように、カートリッジ装置１４の中心部２８ｃに往路３６が設けられ、その外周部２８ｄに改質水路４２を含む復路３８が設けられる場合、図４の構造と比べ、往路３６と復路３８を隔てる第１隔壁部材４８の径の小型化を図れる。これに伴い、カートリッジ装置１４の長手方向Ｐａに直交する断面内で往復水路４０の占める割合を増大でき、一定の水路断面積の確保に要するカートリッジ装置１４の外径寸法の小型化を図れる。
【００７１】
また、復路３８に改質水路４２を設ける場合、往路３６の水路断面積は、改質水路４２を含む復路３８と比べて小さくともすむ。ここで、図４のように、迂回水路４４が環状をなす場合、圧損を防止する観点から、迂回水路４４を形成する径方向内側の壁面と径方向外側の壁面の間の幅が一定以上は必要になり、迂回水路４４の径寸法を小型化するにも限界があるとの知見を得た。これに対して、図８のように、カートリッジ装置１４の中心部２８ｃに柱状の往路３６が設けられる場合、そのような迂回水路４４の径寸法に関する制約を受けずに往路３６の小型化を図れる。よって、この点からも、カートリッジ装置１４の外径寸法の小型化を図れる。
【００７２】
カートリッジ装置１４の他の工夫点を説明する。図１０は、図８の拡大図である。本実施形態の往復水路４０も、第１実施形態と同様、一次側通水路６０と二次側通水路６２を有する。本実施形態の一次側通水路６０は内周側に設けられ、二次側通水路６２は一次側通水路６０より外周側に設けられる。
【００７３】
本実施形態の迂回水路４４の分岐箇所７８は、往復水路４０の折り返し箇所に設けられる。また、本実施形態の改質水路４２は、迂回水路４４の分岐箇所７８から復路方向Ｐａ２に連なる水路上に設けられる。本実施形態の迂回水路４４は、二次側通水路６２に対して下流側に連なる空間８０から復路方向Ｐａ２に連なる水路上に設けられる。本実施形態の迂回水路４４は、この二次側通水路６２に対して下流側に連なる空間８０を迂回水路４４の上流端部として設けられる。
【００７４】
この迂回水路４４の分岐箇所７８は、一次側通水路６０と二次側通水路６２の間の空間に設けられる。この分岐箇所７８は往復水路４０の途中に特定箇所７０として設けられる。この特定箇所７０に対して上流側に連なる水路である一次側通水路６０から水が流入する方向を第１流入方向Ｐｄとする。この第１流入方向Ｐｄは、長手方向Ｐａに沿った切断面において、一次側通水路６０の中心線Ｌｃに沿った方向となる。本実施形態の迂回水路４４は、迂回水路４４の分岐箇所７８に対して第１流入方向Ｐｄに連なるように設けられる。また、改質水路４２は、迂回水路４４の分岐箇所７８に対して第１流入方向Ｐｄとは異なる方向（復路方向Ｐａ２）に連なるように設けられる。
【００７５】
カートリッジ装置１４は、往復水路４０の特定箇所７０（分岐箇所７８）において、前述の第１流入方向Ｐｄに流入する水を改質水路４２の上流端部に向けて流れるように方向Ｐｅに誘導可能な誘導体７２を備える。誘導体７２は、特定箇所７０に対して上流側の水路である一次側通水路６０から流入する水を改質水路４２に向けて流れるように誘導可能であるともいえる。
【００７６】
図１１は、第２実施形態の誘導体７２の斜視図である。図１０、図１１に示すように、本実施形態の誘導体７２は環状に延びる突条であり、その長手方向に直交する断面形状は台形状をなす。誘導体７２は、往復水路４０の分岐箇所７８に対して上流側に連なる一次側通水路６０側を向く第１斜面７２ａと、一次側通水路６０とは反対側を向く第２斜面７２ｂと、第１流入方向Ｐｄに沿う頂面７２ｃとを有する。第１斜面７２ａは、一次側通水路６０からの水の第１流入方向Ｐｄに向かうにつれて改質水路４２に近づくように設けられる。第２斜面７２ｂは、第１流入方向Ｐｄに向かうにつれて改質水路４２から離れるように設けられる。本実施形態の第１斜面７２ａや第２斜面７２ｂは、長手方向Ｐａに沿った切断面において、凹形の曲線状をなすが、凸形の曲線状をなしていてもよいし、直線状をなしていてもよい。
【００７７】
往復水路４０の分岐箇所７８に一次側通水路６０から流入する水は、誘導体７２の第１斜面７２ａにより誘導されることで、第１流入方向Ｐｄから改質水路４２に向かう方向に流れ方向が変化する。これにより、往復水路４０の分岐箇所７８に流入する水を改質水路４２に流し易くなる。
【００７８】
また、本実施形態では、往復水路４０の分岐箇所７８に対して第１流入方向Ｐｄに迂回水路４４が連なるように設けられる構造である。よって、往復水路４０の分岐箇所７８に誘導体７２が設けられていない場合、分岐箇所７８に流入する水が迂回水路４４に容易に流出してしまい、改質水路４２に水を流し難くなる。この点、本実施形態によれば、往復水路４０の分岐箇所７８に水が流入したとき、その水が迂回水路４４に容易に流出するのを妨げつつ、その水を誘導体７２により改質水路４２に流し易くなる。
【００７９】
二次側通水路６２の長手方向Ｐａの寸法Ａｂは、一次側通水路６０の通水方向Ｐｆに見て、一次側通水路６０の一部のみが二次側通水路６２と重なる大きさとなるように設定される。これは、一次側通水路６０の通水方向Ｐｆに見たとき、一次側通水路６０の一部が二次側通水路６２を形成する部位（本例では第２隔壁部材５０）と重なる大きさとなるように設定されるとも捉えられる。これを実現するうえで、本実施形態の二次側通水路６２の長手方向Ｐａの寸法Ａｂは、一次側通水路６０の長手方向Ｐａの寸法Ａａ未満の大きさに設定される。
【００８０】
これにより、一次側通水路６０の通水方向Ｐｆに見て、一次側通水路６０の全部が二次側通水路６２と重なる場合と比べ、一次側通水路６０から流出した水が二次側通水路６２を通り抜け難くなる。これは、一次側通水路６０から流出した水が二次側通水路６２を形成する部位に当たり、その流れ方向を変更することに起因する。この結果、一次側通水路６０から流出した水が二次側通水路６２を通り抜け難くなり、その水を改質水路４２に向けて流し易くなる。
【００８１】
なお、誘導体７２の長手方向Ｐａの寸法Ａｃは、一次側通水路６０の通水方向Ｐｆに見て、二次側通水路６２の全体が誘導体７２と重なる大きさとなるように設定されてもよい。これを実現するうえで、本実施形態の誘導体７２の寸法Ａｃは、二次側通水路６２の寸法Ａｂ以上の大きさに設定されてもよい。これにより、二次側通水路６２の一部のみが誘導体７２と重なる場合と比べ、一次側通水路６０から流出した水を誘導体７２により改質水路４２に誘導し易くなる。
【００８２】
この他にも、誘導体７２の長手方向Ｐａの寸法Ａｃは、一次側通水路６０の通水方向Ｐｆに見て、二次側通水路６２の一部が誘導体７２と重なる大きさとなるように設定されてもよい。これを実現するうえで、本実施形態の誘導体７２の寸法Ａｃは、二次側通水路６２の寸法Ａｂ未満の大きさに設定されてもよい。これにより、二次側通水路６２の全体が誘導体７２と重なる場合と比べ、一次側通水路６０から流出した水を二次側通水路６２に流し易くなり、往復水路４０の分岐箇所７８での圧損を減らし易くなる。
【００８３】
第１隔壁部材４８及び第２隔壁部材５０は、改質水路４２の構成要素と一体化されて内部ユニット８２を構成する。ここでの改質水路４２の構成要素とは、本例では、改質材５２、一次側透水膜５６、二次側透水膜５８である。この内部ユニット８２は、ハウジング４６に着脱可能に固定されている。本実施形態では、第２隔壁部材５０の第２脚部５０ｃがハウジング４６に着脱可能に固定される。これにより、ハウジング４６に対して内部ユニット８２を着脱することで改質材５２を交換できる。よって、第１隔壁部材４８や第２隔壁部材５０が一体化されておらずハウジング４６のみに固定されている構造と比べ、改質材５２の交換作業でハウジング４６に対して着脱すべき部品点数を削減でき、良好な作業性を得られる。
【００８４】
（第３実施形態）
図１２は、第３実施形態のカートリッジ装置１４を図４と同じ視点から見た断面図である。本実施形態の往路３６と復路３８は並列に設けられる。ここでの並列とは、一方の外周側を取り囲むように他方が設けられず、往路３６と復路３８が横並びに設けられることを意味する。カートリッジ装置１４は、往路３６が内側に設けられる第１水路形成部材８４と、復路３８が内側に設けられる第２水路形成部材８６とを有する。各水路形成部材８４、８６は、本実施形態においてカートリッジ本体２８を構成する。第２水路形成部材８６は、往路方向Ｐａ１側の端部が第１水路形成部材８４に接続される第１部材８６ａと、復路方向Ｐａ２側の端部が水回り部品１２に接続される第２部材８６ｂとを有する。
【００８５】
第２水路形成部材８６の内側には第２隔壁部材５０が配置される。第２隔壁部材５０は、第２水路形成部材８６の内側の復路３８を改質水路４２と迂回水路４４に区画しており、迂回水路４４と改質水路４２を隔てている。
【００８６】
第１水路形成部材８４には、水回り部品１２の第１被取付部１２ｃに着脱可能に取り付けられる第１取付部２８ａが設けられる。第２水路形成部材８６には、水回り部品１２の第２被取付部１２ｄに着脱可能に取り付けられる第２取付部２８ｂが設けられる。
【００８７】
本実施形態のカートリッジ装置１４も、一次側透水膜５６から収容室５４内に上向きに水が流入するように構成される。よって、前述の通り、改質材５２による原水の改質能力の向上を図れる。
【００８８】
以上、本発明の実施形態の例や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００８９】
水回り部品１２は、水回りに用いられる部品であればよく、たとえば、水栓、便器、洗面台、手洗器、シンク等の構成部品でもよい。水回り部品１２は、浴槽に用いられる場合、スライドバーに限定されず、シャワーフック、風呂蓋フック、ホースフック、手すり等でもよい。いずれの場合も、水回り部品１２は、シャワーフック、シャワーヘッド、風呂蓋、ホース等の浴室用物品や入浴者の荷重を受けるためのものとして捉えられる。
【００９０】
ベース１６は、水回り部品１２を支持するものであればよく、その具体例は特に限定されない。ベース１６は、たとえば、浴室に限らず室内空間を区画する壁部、床部や、シンク、洗面台、手洗器等の水受け槽が挙げられる。
【００９１】
水回り部品１２は、浴室に設置されるベース１６に固定されていてもよい。このようなベース１６とは、浴室空間を区画する壁部、床部、浴槽等である。これにより、カートリッジ装置１４内の往復水路４０を流れる水の向きが変わらず、一次側透水膜５６から収容室５４内に上向きに水が流入する状態を維持できる。
【００９２】
カートリッジ装置１４は、直線的に延びる長尺状である例を説明したが、一端部から他端部に向けて延びる長尺状であればよく、この他にも曲線的等に延びていてもよい。
【００９３】
カートリッジ装置１４は、互いに別体のカートリッジ本体２８とケーシング３０とを備え、これらが個別に水回り部品１２に着脱可能に取り付けられ場合を例に説明したが、ケーシング３０を備えていなくともよい。この場合、水回り部品１２の被取付部１２ｅは省略した構成となる。
【００９４】
カートリッジ装置１４の往路側水路と復路側水路が通る開口部３０ａは上向きに開く例を説明したが、その開く方向は特に限定されない。たとえば、下向き、横向きに開いていてもよい。いずれにしても、カートリッジ装置１４が水回り部品１２に取付状態にあるとき、一次側透水膜５６から収容室５４に上向きに水が流入するように構成されていればよい。
【００９５】
一次側透水膜５６は、収容室５４に対して下側にのみ配置される例を説明したが、この他にも収容室５４に対して下側かつ横側（水平方向）にも配置されてもよい。一次側透水膜５６から収容室５４に流入する水のベクトル成分に上向き成分を含むようにして、そのベクトル成分の水流の力を用いて、収容室５４内の改質材５２を拡散できればよいということである。
【００９６】
カートリッジ本体２８は、水回り部品１２への取付状態を保持するためにケーシング３０に支持される例を説明したが、ケーシング３０に支持されなくともよい。この場合、カートリッジ本体２８は、嵌合構造、ねじ構造、スナップフィット、磁力等を用いて水回り部品１２に着脱可能に取り付けられてもよい。また、この他にも、カートリッジ本体２８は、ねじ、クリップ等の留め具を用いて水回り部品１２に着脱可能に取り付けられてもよい。また、ケーシング３０も、嵌合構造、ねじ構造、スナップフィット、磁力等を用いて水回り部品１２に着脱可能に接続されてもよいし、ねじ、クリップ等の留め具を用いて水回り部品１２に着脱可能に接続されてもよい。
【００９７】
改質材５２は、原水の改質態様として、原水の浄化を例に説明したが、これに限定されない。たとえば、美容成分、臭い成分、炭酸成分、水素成分の付与等でもよい。
【００９８】
往復水路４０の全体はカートリッジ本体２８に設けられる例を説明したが、その一部がケーシング３０やカートリッジ本体２８とケーシング３０の間に設けられていてもよい。また、カートリッジ装置１４には迂回水路４４や誘導体７２が設けられていなくともよい。
【００９９】
実施形態では往復水路４０の復路３８に改質水路４２が設けられる例を説明したが、往復水路４０の往路３６に改質水路４２が設けられてもよい。
【０１００】
図４の例ではカートリッジ装置１４の中心部２８ｃの外周側部分に迂回水路４４、その内周側部分に改質水路４２が設けられる例を説明した。この他にも、カートリッジ装置１４の中心部２８ｃの外周側部分に改質水路４２、その内周側部分に迂回水路４４が設けられてもよい。
【０１０１】
図８の例ではカートリッジ装置１４の外周部２８ｄの外周側部分に迂回水路４４、その内周側部分に改質水路４２が設けられる例を説明した。この他にも、カートリッジ装置１４の外周部２８ｄの外周側部分に改質水路４２、その内周側部分に迂回水路４４が設けられてもよい。
【０１０２】
前述した（Ａ）の効果を得るうえで、往路３６及び復路３８のうちの一方が中心部２８ｃに設けられ、他方が外周部２８ｄに設けられていればよい。復路３８の改質水路４２と迂回水路４４の位置関係は特に問わない。
【０１０３】
誘導体７２は往復水路４０の折り返し箇所に設けられる例を説明した。この他にも、往復水路４０の折り返し箇所とは異なる箇所に迂回水路４４が分岐する分岐箇所７８を設け、その分岐箇所７８に誘導体７２を設けてもよい。
【０１０４】
一次側通水路６０と二次側通水路６２の長手方向Ｐａでの寸法Ｐａ、Ｐｂは、特に限定されない。図５では一次側通水路６０が外周側、二次側通水路６２が内周側に設けられる場合の一次側通水路６０と二次側通水路６２の寸法関係を説明した。図５のように、二次側通水路６２より下流側に改質水路４２が設けられる場合、一次側通水路６０が内周側、二次側通水路６２が外周側に設けられているときも、同様の寸法関係が成立してもよい。
【０１０５】
図１０では一次側通水路６０が内周側、二次側通水路６２が外周側に設けられる場合の一次側通水路６０と二次側通水路６２の長手方向Ｐａでの寸法関係を説明した。図１０のように、一次側通水路６０と二次側通水路６２の間の空間より復路方向Ｐａ２に連なる水路上に改質水路４２が設けられる場合、一次側通水路６０が外周側、二次側通水路６２が内周側に設けられているときも、同様の寸法関係が成立してもよい。
【０１０６】
以上の実施形態、変形例により具体化される発明を一般化すると、以下の技術的思想が導かれる。以下、発明が解決しようとする課題に記載の態様を用いて説明する。
【０１０７】
第２態様のカートリッジ装置は、第１態様において、前記往路及び前記復路のうちの一方は中心部に設けられ、前記往路及び前記復路のうちの他方は前記中心部の外周側の外周部に設けられてもよい。
この態様によれば、往路と復路が並列に設けられる場合と比べ、カートリッジ装置の長手方向に直交する断面形状の小型化を図れる。
【０１０８】
第３態様のカートリッジ装置は、第１または第２態様において、前記往復水路は、前記改質水路を迂回する迂回水路を有してもよい。
この態様によれば、改質水路のみを経由する場合と比べて圧力損失の増大を抑制でき、カートリッジ装置から水回り部品に供給される水の流量を増大できる。
【０１０９】
第４態様のカートリッジ装置は、第３態様において、前記往路は中心部に設けられ、前記復路は前記中心部の外周側の外周部に設けられ、前記改質水路は、前記外周部の内周側部分に設けられ、前記迂回水路は、前記外周部の外周側部分に設けられてもよい。
この態様によれば、カートリッジ装置の中心部に柱状の改質水路が設けられる場合と比べ、往路と復路を隔てる第１隔壁部材の径の小型化を図れる。これに伴い、カートリッジ装置の長手方向に直交する断面内で往復水路の占める割合を増大でき、一定の水路断面積の確保に要するカートリッジ装置の外径寸法の小型化を図れる。
【０１１０】
第５態様のカートリッジ装置は、第３または第４態様において、前記往復水路の一部に設けられる特定箇所に対して上流側に連なる水路から水が流入する方向を流入方向としたとき、前記改質水路は、前記特定箇所に対して前記流入方向とは異なる方向に連なるように設けられ、前記特定箇所において前記流入方向に流入する水が前記改質水路に向けて流れるように誘導可能な誘導体を備えてもよい。
この態様によれば、往復水路の特定箇所に流入する水を誘導体により改質水路に流し易くなる。
【０１１１】
第６態様のカートリッジ装置は、第５態様において、前記特定箇所は、前記往復水路の折り返し箇所において、前記特定箇所を中心として外周側に設けられる水路から水が流入する中心空間であり、前記迂回水路は、前記特定箇所に対して上流側の水路から分岐して設けられ、前記改質水路は、前記中心空間から前記長手方向の他方側に連なる水路上に設けられてもよい。
この態様によれば、往復水路の中心空間に水が流入したとき、その中心空間での乱流の発生を抑えつつ、その水を誘導体により改質水路に流し易くなる。
【０１１２】
第７態様のカートリッジ装置は、第５態様において、前記特定箇所は、前記往復水路において前記迂回水路が分岐する分岐箇所であり、前記迂回水路は、前記分岐箇所に対して前記流入方向に連なるように設けられてもよい。
この態様によれば、往復水路の分岐箇所に水が流入したとき、その水が迂回水路に容易に流出するのを妨げつつ、その水を誘導体により改質水路に流し易くなる。
【０１１３】
第８態様のカートリッジ装置は、第３から第７態様のいずれかにおいて、前記往復水路は、前記往復水路の折り返し箇所に設けられ、前記往路から送られる水が通り抜ける一次側通水路と、前記折り返し箇所に設けられ、前記一次側通水路から流出した水が通り抜ける二次側通水路と、を有し、前記改質水路は、前記二次側通水路に対して下流側に連なる空間から前記長手方向の他方側に連なる水路上に設けられ、前記迂回水路は、前記一次側通水路と前記二次側通水路の間の空間から前記長手方向の他方側に連なる水路上に設けられ、前記二次側通水路の前記長手方向の寸法は、前記一次側通水路の中心線に沿った通水方向に見て、前記一次側通水路の全体が前記二次側通水路と重なる大きさとなるように設定されてもよい。
この態様によれば、一次側通水路から流出した水を二次側通水路を通して改質水路に流し易くなる。
【０１１４】
第９態様のカートリッジ装置は、第３から第７態様のいずれかにおいて、前記往復水路は、前記往復水路の折り返し箇所に設けられ、前記往路から送られる水が通る一次側通水路と、前記折り返し箇所に設けられ、前記一次側通水路から流出した水が通る二次側通水路と、を備え、前記改質水路は、前記一次側通水路と前記二次側通水路の間の空間から前記長手方向の他方側に連なる水路上に設けられ、前記迂回水路は、前記二次側通水路に対して下流側に連なる空間から前記長手方向の他方側に連なる水路上に設けられ、前記二次側通水路の前記長手方向の寸法は、前記一次側通水路の中心線に沿った通水方向に見て、前記一次側通水路の一部が前記二次側通水路と重なる大きさとなるように設定されてもよい。
この態様によれば、一次側通水路から流出した水が二次側通水路を通り抜け難くなり、その水を改質水路に向けて流し易くなる。
【０１１５】
第１０態様のカートリッジ装置は、第３から第９態様のいずれかにおいて、前記往復水路及び前記迂回水路が内部に設けられるハウジングと、前記往路と前記復路を隔てる筒状の第１隔壁部材と、前記迂回水路と前記改質水路を隔てる筒状の第２隔壁部材と、を備え、前記第１隔壁部材及び前記第２隔壁部材は、前記改質水路の構成要素と一体化されて内部ユニットを構成し、前記内部ユニットは、前記ハウジングに着脱可能に固定されてもよい。
この態様によれば、第１隔壁部材や第２隔壁部材が一体化されておらずハウジングのみに固定されている構造と比べ、改質材の交換作業でハウジングに対して着脱すべき部品点数を削減でき、良好な作業性を得られる。
【０１１６】
第１１態様は水回りユニットであり、第１から第１０態様のいずれかのカートリッジ装置と、前記カートリッジ装置が着脱可能に取り付けられる水回り部品と、を備える。
【符号の説明】
【０１１７】
１０…水回りユニット、１２…水回り部品、１４…カートリッジ装置、２８…カートリッジ、２８ｃ…中心部、２８ｄ…外周部、３６…往路、３８…復路、４０…往復水路、４２…改質水路、４４…迂回水路、４６…ハウジング、４８…第１隔壁部材、５０…第２隔壁部材、５２…改質材、５４…収容室、５６…一次側透水膜、５８…二次側透水膜、６０…一次側通水路、６２…二次側通水路、６４…中心空間、７０…特定箇所、７２…誘導体、７８…分岐箇所、８０…空間、８２…内部ユニット。
【図１】
2019089005.tif 000003
【図２】
2019089005.tif 000004
【図３】
2019089005.tif 000005
【図４】
2019089005.tif 000006
【図５】
2019089005.tif 000007
【図６】
2019089005.tif 000008
【図７】
2019089005.tif 000009
【図８】
2019089005.tif 000010
【図９】
2019089005.tif 000011
【図１０】
2019089005.tif 000012
【図１１】
2019089005.tif 000013
【図１２】
2019089005.tif 000014